(57)【要約】【課題】  マルチディスプレイを構成する各ディスプレイ装置の画面調整を、できるだけコストをかけずにかつ作業効率を良く行う。【解決手段】  複数のディスプレイ装置１ａ〜１ｄを識別するためのＩＤ番号を保持するＩＤ番号記憶部３と、リモートコントローラ２からの指令に基づいて、複数のディスプレイ装置１ａ〜１ｄにＩＤ番号を指定するための調整用詳細情報画面を一斉に表示させる調整用詳細情報画面表示手段４と、調整用詳細情報画面に表示されて、リモートコントローラ２上のキー操作により、ＩＤ番号に対応する特定のディスプレイ装置のみに画面調整メニューを表示させる画面調整メニュー表示手段５と、特定のディスプレイ装置に表示された画面調整メニューに基づいて画面調整が可能な画面調整手段６と、を有する。【選択図】  図２
2006254275.tif 000002
【特許請求の範囲】
【請求項１】
リモートコントローラにより遠隔制御可能な複数のディスプレイ装置により構成されるマルチディスプレイであって、
前記複数のディスプレイ装置を識別するためのＩＤ番号を保持するＩＤ番号記憶部と、
前記リモートコントローラからの指令に基づいて、前記複数のディスプレイ装置に前記ＩＤ番号を指定するための調整用詳細情報画面を一斉に表示させる調整用詳細情報画面表示手段と、
前記調整用詳細情報画面に表示されて、前記リモートコントローラ上のキー操作により、前記ＩＤ番号に対応する特定のディスプレイ装置のみに画面調整メニューを表示させる画面調整メニュー表示手段と、
前記特定のディスプレイ装置に表示された画面調整メニューに基づいて画面調整が可能な画面調整手段と、を備えることを特徴とするマルチディスプレイ。
【請求項２】
複数のディスプレイ装置により構成されるマルチディスプレイをリモートコントローラにより画面調整するマルチディスプレイの画面調整方法であって、
前記複数のディスプレイ装置を識別するＩＤ番号をＩＤ番号記憶部に保持させるステップと、
前記リモートコントローラからの指令にもとづいて前記複数のディスプレイ装置に調整用詳細情報画面を一斉に表示させるステップと、
前記調整用詳細情報画面に表示されたＩＤ番号に対応する前記リモートコントローラ上のＩＤ入力キーと画面調整キーの操作により、前記ＩＤ番号に対応するディスプレイ装置のみに画面調整メニューを表示させるステップと、
表示された画面調整メニューの中から、リモートコントローラから指示された画面調整を実行するステップと、
を含むことを特徴とするマルチディスプレイの画面調整方法。
【請求項３】
前記ＩＤ番号に対応するディスプレイ装置以外のディスプレイ装置を、所定時間後に前記調整用メニューの表示から初期画面表示に戻すことを特徴とする請求項２に記載のマルチディスプレイの画面調整方法。
【請求項４】
所定の画面調整終了操作により、前記複数のディスプレイ装置の画面表示を、初期画面表示に戻すことを特徴とする請求項２又は３に記載のマルチディスプレイの画面調整方法。
【請求項５】
複数のディスプレイ装置により構成されるマルチディスプレイをリモートコントローラにより画面調整するマルチディスプレイの画面調整プログラムであって、
前記複数のディスプレイ装置を識別するＩＤ番号をＩＤ番号記憶部に保持させるステップと、
前記リモートコントローラからの指令にもとづいて前記複数のディスプレイ装置に調整用詳細情報画面を一斉に表示させるステップと、
前記調整用詳細情報画面に表示されたＩＤ番号に対応する前記リモートコントローラ上のＩＤ入力キーと画面調整キーの操作により、前記ＩＤ番号に対応するディスプレイ装置のみに画面調整メニューを表示させるステップと、
表示された画面調整メニューの中から、リモートコントローラからの入力にもとづき選ばれた特定の画面調整を実行するステップと、
を実行させることを特徴とするマルチディスプレイの画面調整プログラム。
【発明の詳細な説明】
【技術分野】
【０００１】
本発明はマルチディスプレイおよび画面調整方法並びに画面調整プログラムに関する。
【背景技術】
【０００２】
マルチディスプレイは、複数個のディスプレイ装置の画面を、例えばマトリクス状に並べて構成され、これらの複数の画面で一つの大形画面を構成可能にしている。このため、このマルチディスプレイを商品等の展示品の展示場、競輪場、駅、多目的ホールなどに設置することにより、そこに集まった不特定多数の人達が、そのマルチディスプレイの画面上の表示内容を、離れた位置から明瞭に看取することができる(例えば、特許文献１参照）。
【０００３】
このようなマルチディスプレイおいて、各ディスプレイ装置の画質が異なると、マルチディスプレイを視聴する際に、違和感を感じるため、各ディスプレイ装置を個別に画面調整をおこない、マルチディスプレイ全体の画面が略同一の画質となるように調整する必要がある。
【０００４】
このため、マルチディスプレイを構成する各ディスプレイ装置の画面調整は、リモートコントローラで特定のディスプレイ装置を選択して個別に画面調整を行うか、マルチディスプレイに接続されたコンピュータにより特定のディスプレイ装置の画面調整を行っている。
【特許文献１】特開２００１−２７５１３７号公報
【発明の開示】
【発明が解決しようとする課題】
【０００５】
従来のマルチディスプレイの画面調整方法のうち、リモートコントローラを使う方法では、以下のような問題点がある。
【０００６】
特定の１台のディスプレイ装置のみに対して画面調整を行うには、リモートコントロール信号が他のディスプレイ装置に届かないように、リモートコントローラをディスプレイ装置に接近させて調整を行う。あるいは、リモートコントロール信号(赤外線）の送信方向が極めて狭い狭指向性のリモートコントローラを用いて、特定のディスプレイ装置の画面調整を行っている。
【０００７】
ところが、マルチディスプレイのディスプレイ装置が作業者が近寄れない高所などの場所に設置されているため、作業者がディスプレイ装置に近づいて画面調整を行うことが困難な場合が多々ある。このような場合、狭指向性のリモートコントローラを使用すると、マルチディスプレイ専用のリモートコントローラを製作する必要があるためコストがかかり、また、作業者の手ぶれなどにより、調整しようとするディスプレイ装置の受信器（赤外線受光器）からリモートコントロール信号(赤外線）がそれてしまうなど、作業性に問題がある。
【０００８】
また、マルチディスプレイにコンピュータを接続して、ディスプレイ装置の画面調整を行う方法は、コンピュータおよび画面調整用のソフトウェアが別途必要であるためコストがかかり、また、画面調整作業の度に調整するディスプレイ装置のＲＳ２３２Ｃ端子等の外部接続端子にコンピュータを接続する作業が必要であり、作業効率が悪い。
【０００９】
本発明が解決しようとする課題としては、マルチディスプレイを構成する各ディスプレイ装置の画面調整を行う際に、できるだけコストをかけずにかつ作業性の良いマルチディスプレイおよびその画面調整方法並びに画面調整プログラムを提供することが一例として挙げられる。
【課題を解決するための手段】
【００１０】
請求項１に記載のマルチディスプレイは、リモートコントローラにより遠隔制御可能な複数のディスプレイ装置により構成されるマルチディスプレイであって、前記複数のディスプレイ装置を識別するためのＩＤ番号を保持するＩＤ番号記憶部と、前記リモートコントローラからの指令に基づいて、前記複数のディスプレイ装置に前記ＩＤ番号を指定するための調整用詳細情報画面を一斉に表示させる調整用詳細情報画面表示手段と、前記調整用詳細情報画面に表示されて、前記リモートコントローラ上のキー操作により、前記ＩＤ番号に対応する特定のディスプレイ装置のみに画面調整メニューを表示させる画面調整メニュー表示手段と、前記特定のディスプレイ装置に表示された画面調整メニューに基づいて画面調整が可能な画面調整手段と、を備えることを特徴とする。
【００１１】
請求項２記載のマルチディスプレイの画面調整方法は、複数のディスプレイ装置により構成されるマルチディスプレイをリモートコントローラにより画面調整するマルチディスプレイの画面調整方法であって、前記複数のディスプレイ装置を識別するＩＤ番号をＩＤ番号記憶部に保持させるステップと、前記リモートコントローラからの指令にもとづいて前記複数のディスプレイ装置に調整用詳細情報画面を一斉に表示させるステップと、前記調整用詳細情報画面に表示されたＩＤ番号に対応する前記リモートコントローラ上のＩＤ入力キーと画面調整キーの操作により、前記ＩＤ番号に対応するディスプレイ装置のみに画面調整メニューを表示させるステップと、表示された画面調整メニューの中から、リモートコントローラから指示された画面調整を実行するステップと、を含むことを特徴とする。
【００１２】
請求項５記載のマルチディスプレイの画面調整プログラムは、複数のディスプレイ装置により構成されるマルチディスプレイをリモートコントローラにより画面調整するマルチディスプレイの画面調整プログラムであって、前記複数のディスプレイ装置を識別するＩＤ番号をＩＤ番号記憶部に保持させるステップと、前記リモートコントローラからの指令にもとづいて前記複数のディスプレイ装置に調整用詳細情報画面を一斉に表示させるステップと、前記調整用詳細情報画面に表示されたＩＤ番号に対応する前記リモートコントローラ上のＩＤ入力キーと画面調整キーの操作により、前記ＩＤ番号に対応するディスプレイ装置のみに画面調整メニューを表示させるステップと、表示された画面調整メニューの中から、リモートコントローラからの入力にもとづき選ばれた特定の画面調整を実行するステップと、を実行させることを特徴とする。
【発明を実施するための最良の形態】
【００１３】
以下に、本発明の実施の形態に係るマルチディスプレイおよびその画面調整方法の一実施の形態について、図面を参照して詳細に説明する。
図１は、本発明の実施の形態に係るマルチディスプレイの概略を示す模式図である。
【００１４】
図１に示すように、本実施の形態に係るマルチディスプレイは、例えば４台のディスプレイ装置１ａ、１ｂ、１ｃ、１ｄがマトリクス状(２×２面）に配置された構成のマルチディスプレイ１である。そして、マルチディスプレイ１を構成する各ディスプレイ装置１ａ〜１ｄに対する個別の画面調整が、１つのリモートコントローラ２による遠隔操作により個別に行うことができる。
【００１５】
図１に示したマルチディスプレイ１の各ディスプレイ装置１ａ〜１ｄは、それぞれ、図２に示すように、ＩＤ番号記憶部３と、調整用詳細情報画面表示手段４と、画面調整メニュー表示手段５と、画面調整手段６と、ＣＰＵ７と、を有する。
【００１６】
ＩＤ番号記憶部３は、各ディスプレイ装置１ａ〜１ｄにそれぞれに設けられており、ディスプレイ装置を識別するためのＩＤ番号を保持するためのものである。
調整用詳細情報画面表示手段４は、リモートコントローラ２からの指令にもとづいて、各ディスプレイ装置１ａ〜１ｄにＩＤ番号を指定するための調整用詳細情報画面を一斉に表示するように機能する。
【００１７】
画面調整メニュー表示手段５は、リモートコントローラ２の数字入力キーによって入力された番号に合致したＩＤ番号が予め設定されたディスプレイ装置（例えば、ディスプレイ装置１ｄ）のみに画面調整メニューを表示する。
【００１８】
画面調整手段６は、表示された画面調整メニューの中から、リモートコントローラからのキー入力にもとづき選ばれた特定の画面調整を実行する。
ＣＰＵ７は、ＩＤ番号記憶部３、調整用詳細情報画面表示手段４、画面調整メニュー表示手段５および画面調整手段６への各種情報の入出力処理、演算処理を実行する。
【００１９】
リモートコントローラ２は、表示キー１２、画質の変化量を調整するときに上下左右の方向を指定して操作可能な方向キー１３、数字キー１４、セットキー（確定キー）１５を備える。リモートコントローラ２の各キー１２〜１５は、モード切り替えキーの操作により、通常のチャンネル選択などとは異なる機能に使用される。そして、各キーの操作に応じて各キーに対応した動作指令（コマンド信号）を例えば、赤外線や電波あるいは超音波などに乗せて送出するように機能する。
なお、このリモートコントローラ２としては、以上のキーを備えていれば、汎用のリモートコントローラを用いることができる。
【００２０】
次に、本実施の形態におけるマルチディスプレイの画面調整を用いた画面調整方法の一例を挙げ、図４を用いて説明する。
図４は、マルチディスプレイの画面調整手順を示すフローチャートである。
本実施の形態では、リモートコントローラ２の操作により、ディスプレイ装置１ａ〜１ｄの中の一つのみを選択して、画面調整を行う場合を例にして説明する。
【００２１】
まず、各ディスプレイ装置１ａ〜１ｄのＩＤ番号記憶部３に対して、ＩＤ番号を保持させておく。ここでは、ＩＤ番号は、４個のディスプレイ装置１ａ〜１ｄのそれぞれに順に「０１」〜「０４」を割り当てたものとする。
【００２２】
次に、マルチディスプレイ１の全てのディスプレイ装置１ａ〜１ｄを、リモートコントローラ２の操作（例えば、「電源キー」を押す）によって遠隔起動する。これにより、ディスプレイ装置１ａ〜１ｄの各画面には、例えば、図５に示すような初期画面が表示される(ステップＳ１）。
【００２３】
次に、作業者は、リモートコントローラ２の表示キー１２を押す(ステップＳ２）。
表示キー１２が押されたことによるキー情報がリモートコントローラ２から、各ディスプレイ装置１ａ〜１ｄに送信され、ディスプレイ装置１ａ〜１ｄのそれぞれのＣＰＵ７が、表示キー１２が連続して所定時間（例えば、３０秒）以上押されたか否かを判定する（ステップＳ３）。
ステップＳ３において、表示キー１２が連続して所定時間（例えば、３０秒）以上押されていない場合（Ｎｏ）は、各ディスプレイ装置１ａ〜１ｄの画面には、ディスプレイに関する基本情報が所定時間（例えば、３０秒）表示された後、初期画面表示に戻る（ステップＳ４）。
一方、ステップＳ３において、表示キー１２が連続して所定時間（例えば、３０秒）以上押された場合（Ｙｅｓ）は、各ディスプレイ装置１ａ〜１ｄの画面上に、図６に示すような調整用詳細情報画面が一斉に表示される(ステップＳ５）。
【００２４】
調整用詳細情報画面の表示内容の一例を図７に示す。この図７において、シリアル番号、ロット番号、調整日付、周囲温度、カラーモードなどの他に、ディスプレイ装置１ａ〜１ｄのうち調整するディスプレイ装置を特定するためのＩＤ番号が表示される（図７において、ＩＤ  ＮＯ．ＳＥＴの欄の――にＩＤ番号が表示される）。
【００２５】
画面調整を行うディスプレイ装置の選択は、次のようにして行う。
例えば、右下のディスプレイ装置１ｄの画面調整を行う場合は、作業者は、調整用詳細情報画面のＩＤ番号の表示を見て、ディスプレイ装置１ｄのＩＤ番号（図６における、ディスプレイ装置１ｄのＩＤ  ＮＯ．ＳＥＴの欄）が「０４」であることを確認する。
【００２６】
ＩＤ番号が「０４」であることを確認したら、作業者は、リモートコントローラの数字キー１４のうちの「０」を押し、次に「４」を押す、次にセットキー１５を押す。このＩＤ番号「０４」に相当するキー情報がマルチディスプレイ１に送信される（ステップＳ６）。
【００２７】
送信されたＩＤ番号「０４」に相当するキー情報は、各ディスプレイ装置１ａ〜１ｄのそれぞれのＣＰＵ７で、自分のディスプレイ装置のＩＤ番号とそれぞれ比較する（ステップＳ７）。この例では、ＩＤ番号「０４」に相当するキー情報を送信したのでディスプレイ装置１ｄが選択される。
【００２８】
ＩＤ番号が一致したディスプレイ（ここでは、ディスプレイ装置１ｄ）の画面には、図８に示すような画面調整メニューが表示される(ステップＳ７)。この調整用メニューは、調整項目を選択するタブ及び現在の画質状態の数値（例えば、コントラスト、ブライト等の数値）が表示される。
【００２９】
さらに、調整用メニューのタブを選択することにより、選択された調整項目を調整することができる調整値設定画面（図９にその一例を示す）が表示される。
【００３０】
作業者は、図９に示すような調整値設定画面を見ながら、リモートコントローラ２の方向キー１３やセットキー１５を操作して、各調整項目（ＣＯＮＴＲＡＳＴ、ＢＲＩＧＨＴＮＥＳＳ等）の数値バーを動かすことにより、各調整項目の数値を設定することができる。これにより、前記画面輝度調整、画面位置調整などの各種画面調整を行う(ステップＳ８)。
【００３１】
一方、ＩＤ番号が不一致のディスプレイ（ここでは、ディスプレイ装置１ａ〜１ｃ）の画面は、所定時間（例えば、３０秒）後に、図１０に示すように、初期画面表示に戻る(ステップＳ１０)。
【００３２】
ディスプレイ装置１ｄの画面調整が終了した後は、所定の画面調整終了操作（例えば、「電源キー」を押す、あるいは、画面調整メニューの終了ボタン（図示せず）を押すなど）を行う（ステップＳ１１）。これにより、ディスプレイ装置１ｄの表示が初期画面に戻る。
【００３３】
このように、一連の画面調整操作を行うことで、マルチディスプレイ１の画面全体をバランスのとれた画質にすることができる。
【００３４】
なお、本実施の形態において、調整用詳細情報画面が表示されている状態においては、ディスプレイ装置１ａ〜１ｄのそれぞれのＣＰＵ７が、数字キー１４の本来の機能である放送チャンネルや映像入力ソースの選択機能を停止するように命令し、通常使用時においては、放送チャンネルや映像入力ソースの選択機能を許可するように命令する。
よって、マルチディスプレイ１の通常使用時においては、リモートコントローラ２の数字キー１４の操作により、放送チャンネルや映像入力ソースの選択を行うことが可能である。
【００３５】
このように、本実施の形態では、数字キー１４を通常使用時における放送チャンネルや映像入力ソースの選択のみならず、画面調整時のディスプレイ装置選択にも使用することができるので、ディスプレイ装置選択のための専用キーを設ける必要がない。
即ち、ディスプレイ装置選択のための専用キーの無い汎用のリモートコントローラを流用できるので、上記専用キーのあるリモートコントローラを新たに用意する場合に比べてシステムのコストを軽減することができる。
【００３６】
また、画面調整時は、リモートコントローラ２のキーのうち、上下左右方向を指定する方向キー１３とセットキー１５を用いるだけである。通常状態では、これらの方向キー１３とセットキー１５は無効となっているため、これが操作されても画面調整機能に支障を来たすことはない。
【００３７】
なお、上述の実施の形態では、画面輝度などの画面調整を中心とする説明をしたが、画面位置調整などのあらゆる画面調整や機能設定にも同様に本実施の形態を適用できるものである。
【００３８】
以上詳述したように、本実施の形態に係るマルチディスプレイは、リモートコントローラ２により遠隔制御可能な複数のディスプレイ装置１ａ〜１ｄにより構成されるマルチディスプレイ１であって、複数のディスプレイ装置１ａ〜１ｄを識別するためのＩＤ番号を保持するＩＤ番号記憶部３と、リモートコントローラ２からの指令に基づいて、複数のディスプレイ装置１ａ〜１ｄにＩＤ番号を指定するための調整用詳細情報画面を一斉に表示させる調整用詳細情報画面表示手段４と、調整用詳細情報画面に表示されて、リモートコントローラ２上のキー操作により、ＩＤ番号に対応する特定のディスプレイ装置のみに画面調整メニューを表示させる画面調整メニュー表示手段５と、特定のディスプレイ装置に表示された画面調整メニューに基づいて画面調整が可能な画面調整手段６と、を有する。
これにより、特殊な狭指向性の専用リモートコントローラを使用したり、調整するディスプレイ装置にコンピュータを接続することなく、汎用のリモートコントローラを用いて、これから調整しようとするディスプレイ装置を容易に選択し、詳細な画面調整を行うことができる。よって、マルチディスプレイ全体の画面が略同一の画質となるように調整する作業が効率よく容易に行うことができる。
【図面の簡単な説明】
【００３９】
【図１】本発明の実施の形態のマルチディスプレイを示すブロック図である。
【図２】図１におけるディスプレイ装置の内部構成を示すブロック図である。
【図３】図１におけるリモートコントローラを概略的に示す斜視図である。
【図４】本発明の実施の形態のマルチディスプレイの画面調整手順を示すフローチャートである。
【図５】本発明の実施の形態によるディスプレイ装置上の画面調整過程を示す説明図その１である。
【図６】本発明の実施の形態によるディスプレイ装置上の画面調整過程を示す説明図その２である。
【図７】図６における調整用詳細情報画面の詳細を示す説明図である。
【図８】本発明の実施の形態によるディスプレイ装置上の画面調整過程を示す説明図その３である。
【図９】図８における調整メニュー画面の詳細を示す説明図である。
【図１０】本発明の実施の形態によるディスプレイ装置上の画面調整過程を示す説明図その４である。
【符号の説明】
【００４０】
１  マルチディスプレイ
１ａ〜１ｄ  ディスプレイ装置
２  リモートコントローラ
３  ＩＤ番号記憶部
４  調整用詳細情報画面表示手段
５  画面調整メニュー表示手段
６  画面調整手段
７  ＣＰＵ
【図１】
2006254275.tif 000003
【図２】
2006254275.tif 000004
【図３】
2006254275.tif 000005
【図４】
2006254275.tif 000006
【図５】
2006254275.tif 000007
【図６】
2006254275.tif 000008
【図７】
2006254275.tif 000009
【図８】
2006254275.tif 000010
【図９】
2006254275.tif 000011
【図１０】
2006254275.tif 000012